(57)【特許請求の範囲】
【請求項１】
通信装置であって、
無線ネットワークを形成する第１の役割と、他の装置により形成された無線ネットワークに接続する第２の役割とのうち、通信相手装置とのネゴシエーションに基づいて前記通信装置の役割を決定する決定手段と、
前記決定手段により前記通信装置の役割が前記第１の役割に決定された場合、無線ネットワークを形成する形成手段と、
前記決定手段により前記通信装置の役割が前記第２の役割に決定された場合、通信相手装置により形成された無線ネットワークに接続する接続手段と、
前記形成手段により形成された無線ネットワークに接続するためのパスワードを、前記通信装置に設定されている通信に関する設定情報の印刷指示を受け付けたことに応じて印刷させ、
前記接続手段により接続している無線ネットワークに接続するためのパスワードを、前記通信装置に設定されている通信に関する設定情報の印刷指示を受け付けたことに応じて、印刷させないまたはユーザに認識可能に印刷させないよう制御する印刷制御手段とを有することを特徴とする通信装置。
【請求項２】
前記印刷制御手段の制御に従って、通信に関する設定情報を印刷する印刷手段とを有することを特徴とする請求項１に記載の通信装置。
【請求項３】
前記決定手段は、Ｗｉ−Ｆｉ  Ｄｉｒｅｃｔ（登録商標）において実行されるＧＯ  Ｎｅｇｏｔｉａｔｉｏｎプロトコルに基づいて前記通信装置の役割を決定することを特徴とする請求項１または２に記載の通信装置。
【請求項４】
前記印刷制御手段は、前記通信装置がステーションとして接続するアクセスポイントに接続するためのパスワードを、前記印刷指示に応じて印刷させないことを特徴とする請求項１乃至３の何れか１項に記載の通信装置。
【請求項５】
前記印刷制御手段は、前記通信装置がアクセスポイントとして形成する無線ネットワークに接続するためのパスワードを前記印刷指示に応じて印刷させることを特徴とする請求項１乃至４の何れか１項に記載の通信装置。
【請求項６】
前記印刷制御手段は、前記印刷指示を受け付けた際に、前記ネゴシエーションを実行することなく前記第１の役割として動作し、前記形成手段により無線ネットワークを形成している場合、前記形成手段により形成された無線ネットワークに接続するためのパスワードを印刷させることを特徴とする請求項１乃至５の何れか１項に記載の通信装置。
【請求項７】
前記印刷制御手段は、前記印刷指示を受け付けた場合、通信に関する設定情報として、ＳＳＩＤ、暗号方式、周波数チャンネル、認証方式、ＩＰアドレス及びＭＡＣアドレスのうちの少なくともいずれか一つを印刷させることを特徴とする請求項１乃至６の何れか１項に記載の通信装置。
【請求項８】
前記印刷制御手段は、前記印刷指示を受け付けた際に、有線通信を行っている場合、有線通信に関する設定情報を印刷させることを特徴とする請求項１乃至７の何れか１項に記載の通信装置。
【請求項９】
前記形成手段は、ＩＥＥＥ８０２．１１規格に準拠して無線ネットワークを形成し、
前記接続手段は、ＩＥＥＥ８０２．１１規格に準拠して無線ネットワークに接続することを特徴とする請求項１乃至８の何れか１項に記載の通信装置。
【請求項１０】
前記印刷制御手段は、前記接続手段により接続している無線ネットワークに接続するためのパスワードを、前記通信装置に設定されている通信に関する設定情報の印刷指示を受け付けたことに応じて少なくとも一部に伏せ字を用いて印刷させることを特徴とする請求項１乃至９の何れか１項に記載の通信装置。
【請求項１１】
前記印刷制御手段は、前記接続手段により接続している無線ネットワークに接続するためのパスワードをコード化した情報を、前記通信装置に設定されている通信に関する設定情報の印刷指示を受け付けたことに応じて印刷させることを特徴とする請求項１乃至９の何れか１項に記載の通信装置。
【請求項１２】
印刷方法であって、
無線ネットワークを形成する第１の役割と、他の装置により形成された無線ネットワークに接続する第２の役割とのうち、通信相手装置とのネゴシエーションに基づいて通信装置の役割を決定する決定工程と、
前記決定工程によって前記通信装置の役割が前記第１の役割に決定された場合、無線ネットワークを形成する形成工程と、
前記決定工程によって前記通信装置の役割が前記第２の役割に決定された場合、通信相手装置により形成された無線ネットワークに接続する接続工程と、
前記形成工程によって形成された無線ネットワークに接続するためのパスワードを、前記通信装置に設定されている通信に関する設定情報の印刷指示を受け付けたことに応じて印刷させ、
前記接続工程によって接続している無線ネットワークに接続するためのパスワードを、前記通信装置に設定されている通信に関する設定情報の印刷指示を受け付けたことに応じて、印刷させないまたはユーザに認識可能に印刷させないよう制御する印刷制御工程と、を有することを特徴とする印刷方法。
【請求項１３】
通信装置であって、
無線ネットワークを形成する第１の役割と、他の装置により形成された無線ネットワークに接続する第２の役割とのうち、通信相手装置とのネゴシエーションに基づいて前記通信装置の役割を決定する決定手段と、
前記通信装置の役割を前記決定手段により決定するか、前記通信装置の役割を前記ネゴシエーションに基づくことなく前記第１の役割として決定するかを設定する設定手段と、前記設定手段により前記通信装置の役割を前記決定手段により決定することが設定されている場合、前記通信装置が形成する無線ネットワークに接続するためのパスワードを、前記通信装置に設定されている通信に関する設定情報の印刷指示を受け付けたことに応じてユーザに認識可能に印刷させ、
前記通信装置の役割を前記ネゴシエーションに基づくことなく前記第１の役割として決定することが前記設定手段により設定されている場合、前記通信装置に設定されているパスワードであって、前記第１の役割に従って形成される無線ネットワークに接続するためのパスワードを前記通信装置に設定されている通信に関する設定情報の印刷指示を受け付けたことに応じて、印刷させないまたはユーザに認識可能に印刷させないよう制御する印刷制御手段と、
を有することを特徴とする通信装置。
【請求項１４】
請求項１から１１の何れか１項に記載の通信装置としてコンピュータを動作させるためのプログラム。
【発明の詳細な説明】
【技術分野】
【０００１】
本発明は、通信に関する設定情報の印刷に関する。
【背景技術】
【０００２】
特許文献１には、ネットワークカードから当該ネットワークカードの動作環境に関する情報等のネットワークコンフィグレーション情報を印刷装置が取得し、取得したネットワークコンフィグレーション情報を印刷する技術が開示されている。
【先行技術文献】
【特許文献】
【０００３】
【特許文献１】特開平１１−４２８３６号公報
【発明の概要】
【発明が解決しようとする課題】
【０００４】
特許文献１のように通信に関する設定情報を印刷することによりユーザの利便性は向上される。特に、パスワードが必要な無線通信において、パスワードを含む設定情報が印刷装置により印刷されることにより、容易に他の装置を印刷装置と通信可能に設定することが可能となる。
【０００５】
しかしながら、印刷装置に設定されている通信に関するパスワードを含む設定情報が印刷されてしまうことが必ずしも適切ではない。例えば、印刷装置のユーザと異なる管理者により管理され、外部装置が形成した無線ネットワークに印刷装置が接続している場合を考える。この無線ネットワークに接続するためのパスワードを印刷装置が印刷してしまうと、印刷装置のユーザと異なる管理者が意図しない装置までもこの印刷物に基づいて無線ネットワークに接続可能となってしまう恐れが生じる。
【０００６】
本発明は、上述の課題に鑑みてなされたものであり、通信に関する設定情報を適応的に印刷させることを可能とするものである。
【課題を解決するための手段】
【０００７】
上記課題を解決するため、本発明の通信装置は、無線ネットワークを形成する第１の役割と、他の装置により形成された無線ネットワークに接続する第２の役割とのうち、通信相手装置とのネゴシエーションに基づいて前記通信装置の役割を決定する決定手段と、
前記決定手段により前記通信装置の役割が前記第１の役割に決定された場合、無線ネットワークを形成する形成手段と、
前記決定手段により前記通信装置の役割が前記第２の役割に決定された場合、通信相手装置により形成された無線ネットワークに接続する接続手段と、
前記形成手段により形成された無線ネットワークに接続するためのパスワードを、前記通信装置に設定されている通信に関する設定情報の印刷指示を受け付けたことに応じて印刷させ、
前記接続手段により接続している無線ネットワークに接続するためのパスワードを、前記通信装置に設定されている通信に関する設定情報の印刷指示を受け付けたことに応じて、印刷させないまたはユーザに認識可能に印刷させないよう制御する印刷制御手段とを有することを特徴とする。
【発明の効果】
【０００８】
本発明によると、通信に関する設定情報を適応的に印刷させることができる。
【図面の簡単な説明】
【０００９】
【図１】無線通信システムの構成の一例を示す図である。
【図２】端末装置の外観を示す図である。
【図３】ＭＦＰの外観を示す図である。
【図４】ＭＦＰの操作表示部の一例を示す図である。
【図５】端末装置の構成を示すブロック図である
【図６】ＭＦＰの構成を示すブロック図である。
【図７】モードＡ（ＡＰモード）の無線接続シーケンスを示す図である。
【図８】モードＢ（Ｗｉ−Ｆｉ  Ｄｉｒｅｃｔモード）の無線接続シーケンスを示す図である。
【図９】モードＣ（インフラストラクチャモード）の接続シーケンスを示す図である。
【図１０】ＬＡＮ設定情報印刷処理を示すフローチャートである。
【図１１】パスワード項目の印刷判定処理を示すフローチャートである。
【図１２】ＬＡＮ設定情報印刷の印刷結果の一例を示す図である。
【発明を実施するための形態】
【００１０】
以下に、図面を参照しながら、本実施形態を例示的に説明する。但し、本実施形態に記載されている構成要素の相対配置、表示画面等は、例示であり、それらのみに限定する趣旨のものではない。
【００１１】
＜システム構成＞
まず、以下で説明する各実施形態を実現するためのシステム構成について、図１〜図６を用いて説明する。図１は端末装置、印刷装置（ＭＦＰ）及びアクセスポイントを含むシステムの構成を示す図である。
【００１２】
端末装置２００は、ＭＦＰ３００及びＡＰ４００と無線通信可能な通信装置である。本実施形態では、端末装置２００は、スマートフォンである。スマートフォンとは、携帯電話の機能の他に、カメラや、ウェブブラウザ、電子メール機能等を搭載した多機能型の携帯電話のことである。端末装置２００は、ＰＤＡ（Ｐｅｒｓｏｎａｌ  Ｄｉｇｉｔａｌ  Ａｓｓｉｓｔａｎｔ）等の個人情報端末、携帯電話またはデジタルカメラであってもよい。
【００１３】
印刷装置（ＭＦＰ）３００は、端末装置２００及びＡＰ４００と無線通信可能な通信装置であり、端末装置２００またはアクセスポイント４００から受信した印刷データを印刷する。ＭＦＰ３００は、読取機能（スキャナ）と印刷機能を有するＭｕｌｔｉ  Ｆｕｎｃｔｉｏｎ  Ｐｒｉｎｔｅｒ（ＭＦＰ）である。ＭＦＰ３００は、これら機能のほか、ＦＡＸ機能、電話機能を有していても良い。
【００１４】
端末装置２００とＭＦＰ３００とは、直接無線通信を行うこともできるし、ＡＰ４００を介して通信を行うこともできる。端末装置２００とＭＦＰ３００とは、直接無線通信を行う場合、Ｗｉ−Ｆｉ  Ｄｉｒｅｃｔ（登録商標、以下省略）という標準規格に従って互いに無線接続する。Ｗｉ−Ｆｉ  Ｄｉｒｅｃｔとは、Ｗｉ−Ｆｉ  Ａｌｌｉａｎｃｅによって規定された通信規格である。Ｗｉ−Ｆｉ  Ｄｉｒｅｃｔでは、通信相手を検索するための処理や通信相手との間で互いの役割を決定する方法等が定められ、無線ＬＡＮ通信のための接続シーケンスについて規定されている。
【００１５】
アクセスポイント（ＡＰ）４００は、ＩＥＥＥ８０２．１１規格に定められたインフラストラクチャモードにおけるアクセスポイントとして動作する。ＡＰ４００は、インフラストラクチャモードの無線ＬＡＮ（ＷＬＡＮ）を形成し、当該ネットワークに接続したステーション同士の通信を中継する。
【００１６】
ここで、Ｗｉ−Ｆｉ  Ｄｉｒｅｃｔについて説明する。Ｗｉ−Ｆｉ  Ｄｉｒｅｃｔでは、基地局（アクセスポイント）として動作するグループオーナーと子局（ステーション）として動作するクライアントとの二つの役割があり、各電子機器が通信の際に用いる役割を決定する。Ｐ２Ｐグループオーナー（以下、ＧＯ）及びＰ２Ｐクライアント（以下、ＣＬ）の役割はＧＯ  Ｎｅｇｏｔｉａｔｉｏｎプロトコルで決定される。ＧＯ  ＮｅｇｏｔｉａｔｉｏｎプロトコルはＷｉ−Ｆｉ  Ｄｉｒｅｃｔで規定されている。Ｗｉ−Ｆｉ  Ｄｉｒｅｃｔは、装置間でそれらのうち通信する際の役割をネゴシエーションにより決定する過程を含む無線接続を確立するための接続処理である。
【００１７】
ＧＯ  Ｎｅｇｏｔｉａｔｉｏｎプロトコルでは、ＧＯ  Ｎｅｇｏｔｉａｔｉｏｎ  Ｒｅｑｕｅｓｔフレームがやり取りされる。また、ＧＯ  Ｎｅｇｏｔｉａｔｉｏｎプロトコルでは、ＧＯ  Ｎｅｇｏｔｉａｔｉｏｎ  Ｒｅｓｐｏｎｓｅフレーム、ＧＯ  Ｎｅｇｏｔｉａｔｉｏｎ  Ｃｏｎｆｉｒｍａｔｉｏｎフレームが装置間でやり取りされる。これらのフレームで、装置間でＩｎｔｅｎｔ値が交換され、Ｉｎｔｅｎｔ値が大きい値の装置がＧＯとして動作すること、Ｉｎｔｅｎｔ値が小さい値の装置がＣＬとして動作することが決定される。
【００１８】
なお、Ｗｉ−Ｆｉ  ＤｉｒｅｃｔではＧＯが形成したネットワークをＰ２Ｐグループと称する。本実施形態でもネットワークのことをＰ２Ｐグループと記載する場合もある。どちらも同様の意味で記載されている。
【００１９】
なお、本実施形態では、ＧＯ、ＣＬおよび役割が未決定の通信装置群をまとめて、Ｐ２Ｐデバイスと称す。役割が未決定の通信装置は、その後の役割決定処理の結果に応じて、ＣＬになって無線ネットワークに参加することも、ＧＯになって無線ネットワークを構築することもできる。
【００２０】
また、Ｗｉ−Ｆｉ  Ｄｉｒｅｃｔを用いて装置間で接続する場合、ＧＯからＣＬに通信パラメータを提供し、該通信パラメータを用いて接続する。通信パラメータは、ＩＥＥＥ８０２．１１規格に準拠して無線通信するための各種無線通信パラメータが含まれる。つまり、通信パラメータは、ネットワーク識別子としてのＳＳＩＤ、暗号方式、暗号鍵、認証方式、ネットワークキー、認証鍵及びパスワード等の無線ＬＡＮ通信を行うために必要な無線通信パラメータである。また、通信パラメータは、ＭＡＣアドレスやＩＰ層での通信を行うためのＩＰアドレス等であってもよい。
【００２１】
このように、ＧＯは、無線ネットワークを形成し、当該無線ネットワークに接続するためのパスワードを設定する役割である。ＣＬは、他の装置（ＧＯ）により形成された無線ネットワークに他の装置により設定されたパスワードに基づいて接続する役割である。なお、パスワードは、パスフレーズ、ＰＳＫ、暗号鍵、ネットワークキーまたは認証鍵であってもよい。
【００２２】
続いて、システムの構成について説明する。図２は端末装置２００の外観を示す図である。２０１に
は、ＩＥＥＥ８０２．１１シリーズに準拠した無線ＬＡＮ通信を行うためのＷＬＡＮユニットが内蔵される。ＷＬＡＮユニットは、例えばＩＥＥＥ８０２．１１シリーズに準拠したＷＬＡＮシステムにおけるデータ（パケット）通信が可能であるものとする。ＷＬＡＮユニットは、無線通信を行うチップ及びアンテナにより構成される。また、ＷＬＡＮユニットを用いた無線通信では、Ｗｉ−Ｆｉ  Ｄｉｒｅｃｔ（ＷＦＤ）に準拠した通信、インフラストラクチャモードにおけるアクセスポイントまたはステーションとしての通信などが可能である。表示部２０２は、例えば、ＬＣＤ方式の表示機構を備えたディスプレイである。操作部２０３は、タッチパネル方式の操作機構を備えており、ユーザによる操作を検知する。代表的な操作方法には、表示部２０２がボタンアイコンやソフトウェアキーボードの表示を行い、ユーザがそれらの箇所に触れることによって操作イベントを検知するものがある。電源キー２０４は電源のオン及びオフをする際に用いるハードキーである。
【００２３】
端末装置２００のハードウェア構成を図５に示す。端末装置２００は、装置自身のメインの制御を行うメインボード５０１と、ＷＬＡＮ通信を行うＷＬＡＮユニット５１７とを有する。なお、ＷＬＡＮユニット５１７は、２０１に内蔵される。
【００２４】
メインボード５０１において、ＣＰＵ（中央演算処理部）５０２は、システム制御部であり、端末装置２００の全体を制御する。以降に示す端末装置２００の処理はＣＰＵ５０２の制御によって実行される。ＣＰＵ５０２は、例えばＲＯＭ５０３に記憶される制御プログラムを実行することにより装置全体を制御する。ＲＯＭ５０３は、ＣＰＵ５０２が実行する制御プログラムや組込オペレーティングシステム（ＯＳ）プログラム等を記憶する。本実施形態では、ＲＯＭ５０３に記憶されている各制御プログラムは、ＲＯＭ５０３に記憶されている組込ＯＳの管理下で、スケジューリングやタスクスイッチ等のソフトウェア制御を行う。
【００２５】
ＲＡＭ５０４は、ＳＲＡＭ（Ｓｔａｔｉｃ  ＲＡＭ）等で構成され、プログラム制御変数等のデータを記憶し、また、ユーザが登録した設定値や端末装置２００の管理データ等のデータを記憶し、各種ワーク用バッファ領域が設けられている。
【００２６】
画像メモリ５０５は、ＤＲＡＭ（Ｄｙｎａｍｉｃ  ＲＡＭ）等のメモリで構成され、ＷＬＡＮユニット５１７を介して受信した画像データや、データ蓄積部５１３から読み出した画像データをＣＰＵ５０２で処理するために一時的に記憶する。
【００２７】
不揮発性メモリ５１２は、フラッシュメモリ（ｆｌａｓｈ  ｍｅｍｏｒｙ）等のメモリで構成され、電源がオフされてもデータを記憶し続ける。尚、これらのようなメモリ構成はこれに限定されるものではない。例えば、画像メモリ５０５とＲＡＭ５０４を共有させてもよいし、データ蓄積部５１３にデータのバックアップ等を行ってもよい。また、本実施形態では、画像メモリ５０５にＤＲＡＭを用いているが、ハードディスクや不揮発性メモリ等の他の記憶媒体を使用する場合もあるのでこの限りではない。
【００２８】
データ変換部５０６は、種々の形式のデータの解析や、色変換、画像変換等のデータ変換を行う。電話部５０７は、電話回線の制御を行い、スピーカ部５１４を介して入出力される音声データを処理することで電話による通信を実現している。操作部５０８は、操作部２０３（図２）から入力される信号を制御する。ＧＰＳ（Ｇｌｏｂａｌ  Ｐｏｓｉｔｉｏｎｉｎｇ  Ｓｙｓｔｅｍ）５０９は、端末装置２００の現在の緯度や経度等の位置情報を取得する。表示部５１０は、表示部２０２（図２）の表示内容を電子的に制御しており、各種入力操作や、ＭＦＰ３００の動作状況、ステータス状況の表示等を行うことができる。
【００２９】
カメラ部５１１は、レンズを介して入力された画像を電子的に記録して符号化する機能を有している。カメラ部５１１で撮影された画像はデータ蓄積部５１３に保存される。スピーカ部５１４は電話機能のための音声を入力または出力する機能や、その他、アラーム通知等の機能を実現する。電源部５１５は、携帯可能な電池であり、装置内への電力供給制御を行う。電源状態には、電池に残量が無い電池切れ状態、電源キー２０４を押下していない電源オフ状態、通常起動している起動状態、起動しているが省電力になっている省電力状態がある。
【００３０】
端末装置２００はＷＬＡＮで無線通信することができる。これにより、端末装置２００は、ＭＦＰ等の他デバイスとのデータ通信を行う。この通信部では、データをパケットに変換し、他デバイスにパケット送信を行う。逆に、外部の他デバイスからのパケットを、元のデータに復元してＣＰＵ５０２に対して送信する。
【００３１】
メインボード５０１内の各種構成要素（５０３〜５１５及び５１７）は、ＣＰＵ５０２が管理するシステムバス５１９を介して、相互に接続されている。
【００３２】
続いて、ＭＦＰ３００の構成を説明する。図３はＭＦＰ３００の外観を示す図である。図３において、原稿台３０１は、スキャナ（読取部）で読み取らせる原稿を載せるガラス状の透明な台である。原稿蓋３０２は、スキャナで読取を行う際に原稿を押さえたり、読取の際に原稿を照射する光源からの光が外部に漏れないようにしたりするための蓋である。印刷用紙挿入口３０３は様々なサイズの用紙をセット可能な挿入口である。印刷用紙挿入口３０３にセットされた用紙は一枚ずつ印刷部に搬送され、印刷部で印刷を行って印刷用紙排出口３０４から排出される。操作表示部３０５は、文字入力キー、カーソルキー、決定キー、取り消しキー等のキーと、ＬＥＤ（発光ダイオード）やＬＣＤ（液晶ディスプレイ）などから構成され、ユーザによってＭＦＰとしての各種機能の起動や各種設定を行うことができる。また、タッチパネルで構成されてもよい。３０６には、ＷＬＡＮで通信するためのアンテナが埋め込まれている。
【００３３】
図４は、ＭＦＰ３００の操作表示部３０５の画面表示の一例を模式的に示した図である。図４（ａ）は、ＭＦＰが電源オンし印刷やスキャン等の動作をしていない状態（アイドル状態）を示すホーム画面である。キー操作やタッチパネル操作によりコピーやスキャン、インターネット通信を利用したクラウド機能のメニュー表示や各種設定、機能実行が可能である。図４（ａ）のホーム画面からキー操作やタッチパネルの操作によってシームレスに図４（ａ）とは異なる機能を表示することができる。図４（ｂ）は、その一例であり、プリントやフォト機能の実行やＬＡＮ設定の変更が実行可能な画面である。図４（ｃ）は、図４（ｂ）の画面において、ＬＡＮ設定を選択した際に表示される画面である。この画面からインフラストラクチャモードの有効／無効設定や、ＷＦＤモードの有効／無効設定など各種のＬＡＮ設定変更が実行できる。ＭＦＰ３００は、モードが有効設定とされると、当該モードを利用可能な状態となる。また、ＭＦＰ３００は、モードが有効設定とされると、当該モードで通信するための処理を開始する。また、ＭＦＰ３００は、モードが無効設定とされると、当該モードを利用しない状態となる。また、ＭＦＰ３００は、モードが無効設定とされると、当該モードで通信しない。また、有効設定されたモードの通信のため、他のモードが利用できなくなる場合、当該他のモードも無効設定されることとしてもよい。
【００３４】
また、図４（ｃ）に示す画面からＭＦＰ３００に対してＬＡＮ設定情報の印刷指示を与えることができる。ＬＡＮ設定情報印刷とは、ＭＦＰ３００の通信に関する設定情報を印刷することである。
【００３５】
ＭＦＰ３００のハードウェア構成を図６に示す。ＭＦＰ３００は、装置自身のメインの制御を行うメインボード６０１と、ＷＬＡＮ通信を行うＷＬＡＮユニット６１６、有線ＬＡＮ通信を行うＬＡＮユニット６２１とを有する。
【００３６】
メインボード６０１において、ＣＰＵ（中央演算処理部）６０２は、システム制御部であり、ＭＦＰ３００の全体を制御する。以降に示すＭＦＰ３００の処理はＣＰＵ６０２の制御によって実行される。ＣＰＵ６０２は、例えばＲＯＭ６０３に記憶される制御プログラムを実行することにより装置全体を制御する。ＲＯＭ６０３は、ＣＰＵ６０２が実行する制御プログラムや組込オペレーティングシステム（ＯＳ）プログラム等を記憶する。本実施形態では、ＲＯＭ６０３に記憶されている各制御プログラムは、ＲＯＭ６０３に記憶されている組込ＯＳの管理下で、スケジューリングやタスクスイッチ等のソフトウェア制御を行う。ＲＡＭ６０４は、ＳＲＡＭ（Ｓｔａｔｉｃ  ＲＡＭ）等で構成され、プログラム制御変数等のデータを記憶し、また、ユーザが登録した設定値やＭＦＰ３００の管理データ等のデータを記憶し、各種ワーク用バッファ領域が設けられている。
【００３７】
不揮発性メモリ６０５は、フラッシュメモリ（ｆｌａｓｈ  ｍｅｍｏｒｙ）等のメモリで構成され、電源がオフされてもデータを記憶し続ける。画像メモリ６０６は、ＤＲＡＭ（Ｄｙｎａｍｉｃ  ＲＡＭ）等のメモリで構成され、ＷＬＡＮユニット６１６を介して受信した画像データや、符号復号化処理部６１１で処理した画像データなどを蓄積する。また、端末装置２００のメモリ構成と同様に、このようなメモリ構成はこれに限定されるものではない。データ変換部６０８は、種々の形式のデータの解析や、画像データから印刷データへの変換等を行う。
【００３８】
読取制御部６０７は、読取部６０９（例えば、ＣＩＳイメージセンサ（密着型イメージセンサ））を制御して、原稿上の画像を光学的に読み取る。次に、読取制御部６０７は、これを電気的な画像データに変換した画像信号を出力する。読取制御部６０７は、このとき２値化処理や中間調処理等の各種画像処理を施してから出力しても良い。
【００３９】
操作表示部６１０は、図４での操作表示部３０５に対応する。符号復号化処理部６１１は、ＭＦＰ３００で扱う画像データ（ＪＰＥＧ、ＰＮＧ等）の符号復号化処理や、拡大縮小処理を行う。給紙部６１３は印刷のための用紙を保持する。印刷制御部６１４からの制御で給紙部６１３から用紙の給紙を行うことができる。特に、給紙部６１３は、複数種類の用紙を一つの装置に保持するために、複数の給紙部を用意することができる。そして、印刷制御部６１４により、どの給紙部から給紙を行うかの制御を行うことができる。
【００４０】
印刷制御部６１４は、印刷される画像データに対し、スムージング処理や印刷濃度補正処理、色補正等の各種画像処理を施してから印刷部６１２に出力する。印刷部６１２は、例えば、インクタンクから供給されるインクをプリントヘッドから吐出させて画像を印刷するインクジェットプリンタを採用可能である。また、印刷制御部６１４は印刷部６１２の情報を定期的に読み出してＲＡＭ６０４の情報を更新する役割も果たす。具体的には、インクタンクの残量やプリントヘッドの状態等のステータス情報を更新することである。
【００４１】
ＷＬＡＮユニット６１６は、例えばＩＥＥＥ８０２．１１シリーズに準拠したＷＬＡＮシステムにおけるデータ（パケット）通信が可能であるものとする。ＷＬＡＮユニット６１６は、無線通信を行うチップ及びアンテナにより構成される。また、ＷＬＡＮユニット６１６を用いた無線通信では、Ｗｉ−Ｆｉ  Ｄｉｒｅｃｔ（ＷＦＤ）に準拠した通信、インフラストラクチャモードにおけるアクセスポイントまたはステーションとしての通信などが可能である。ＷＬＡＮユニット６１６はバスケーブル６１５を介してメインボード６０１に接続されている。
【００４２】
また、ＭＦＰ３００は、ＬＡＮユニット６２１を介して有線通信することができる。ＷＬＡＮユニット６１６及びＬＡＮユニット６２１は、データをパケットに変換し、他デバイスにパケット送信を行う。また、ＷＬＡＮユニット６１６及びＬＡＮユニット６２１は、受信した外部の他デバイスからのパケットを、元のデータに復元してＣＰＵ６０２に対して出力する。ＬＡＮユニット６２１はバスケーブル６２０介してメインボード６０１に接続されている。
【００４３】
メインボード６０１内の各種構成要素（６０２〜６１４、６１６〜６１７、６１９、６２１）は、ＣＰＵ６０２が管理するバスケーブル６２０を介して、相互に接続されている。
【００４４】
続いて、本システムの動作について説明する。ＭＦＰ３００は、モードＡ、モードＢ、モードＣ及びモードＤの４つの通信モードを設定可能である。モードＡは、ＭＦＰ３００がアクセスポイントとして動作するモード（Ｓｏｆｔｗａｒｅ  Ａｃｃｅｓｓ  Ｐｏｉｎｔ  Ｍｏｄｅ）である。モードＡでは、ＭＦＰ３００と端末装置２００とが、ＡＰ４００を介さず直接通信可能である。なお、モードＡのことをＡＰモードとも呼ぶ。
【００４５】
モードＢは、Ｗｉ−Ｆｉ  Ｄｉｒｅｃｔで端末装置２００と接続し、通信するモードである。モードＢでは、さらに、ＭＦＰ３００がＧＯ  Ｎｅｇｏｔｉａｔｉｏｎを実行することなくＧＯとして動作を開始する「ネゴなし」又はＧＯ  Ｎｅｇｏｔｉａｔｉｏｎを実行して役割を決定する「ネゴあり」を選択することができる。ＭＦＰ３００は、ネゴなしのモードＢが有効に設定されると、自発的及び自律的にＧＯとしての動作を開始する。なお、モードＢのことをＷｉ−Ｆｉ  Ｄｉｒｅｃｔモードとも呼ぶ。
【００４６】
モードＣは、ＭＦＰ３００がインフラストラクチャモードのステーションとして動作し、ＡＰ４００に接続するためのモードである。なお、モードＣのことをインフラモードとも呼ぶ。また、モードＤは、ＬＡＮユニット６２１を介して有線通信するモードである。なお、モードＤのことを有線モードとも呼ぶ。
【００４７】
以下、モードＡ〜Ｃにおける無線接続シーケンスについて、図７〜図９を用いて説明する。
【００４８】
図７はモードＡ（ＡＰモード）の無線接続シーケンスを示す図である。ＭＦＰ３００は、モードＡを有効設定されると、アクセスポイントとしての動作を開始する。端末装置２００は、ＭＦＰ３００を検索するための機器探索リクエスト７０１を送信する。なお、機器探索リクエスト７０１は、ＩＥＥＥ８０２．１１規格に規定されているプローブリクエストであってもよい。ＭＦＰ３００は、機器探索リクエスト７０１を受信すると、機器探索応答７０２を送信する。なお、機器探索応答７０２は、ＩＥＥＥ８０２．１１規格に規定されているプローブレスポンスであってもよい。端末装置２００は、機器探索応答７０２を受信するとＭＦＰ３００を検出する。端末装置２００は、ＭＦＰ３００と無線接続の処理（無線接続の確立等）、ＩＰ接続の処理（ＩＰアドレスの割当等）を行う。
【００４９】
ＭＦＰ３００は、モードＢが有効設定されると、Ｗｉ−Ｆｉ  Ｄｉｒｅｃｔのための処理を開始する。上述のようにＭＦＰ３００はモードＢの「ネゴなし」が有効設定されると、ＧＯとして動作を開始して無線ネットワークを形成する。また、ＭＦＰ３００はモードＢの「ネゴあり」が有効設定されると、Ｗｉ−Ｆｉ  ＤｉｒｅｃｔのＰ２Ｐ  ｄｉｓｃｏｖｅｒｙに規定される処理を開始する。図８はモードＢ（Ｗｉ−Ｆｉ  Ｄｉｒｅｃｔモード）のネゴあり設定の無線接続シーケンスを示す図である。モードＢでは、Ｗｉ−Ｆｉ  ＤｉｒｅｃｔのＰ２Ｐ  ｄｉｓｃｏｖｅｒｙに規定される処理において機器探索リクエスト及びその応答信号をやりとりする（８０１、８０２）。なお、モードＢでやり取りされる機器探索リクエスト及びその応答信号には、Ｗｉ−Ｆｉ  Ｄｉｒｅｃｔを示すＩｎｆｏｒｍａｔｉｏｎ  Ｅｌｅｍｅｎｔ（ＩＥ）であるＰ２Ｐ  ＩＥが含まれている。また、ＭＦＰ３００は、通信相手となる他方の機器が探索されると、両者の間で、互いの機器で供給可能なサービスや機能に関する情報を確認するためのサービスディスカバリを行ってもよい。機器探索リクエスト及びその応答信号のやりとりにより通信相手となる機器が検出された後に、ＧＯと、ＣＬとのうちから役割を決定するためのネゴシエーションを装置間で実行する（８０３）。次に、ＣＬとＧＯとの役割が決定したら、両者の間で、Ｗｉ−Ｆｉ  Ｄｉｒｅｃｔによる通信を行うためのパラメータを交換する（パラメータ交換フェーズ）。なお、ＧＯからＣＬにパスワードを含む通信パラメータが提供される。なお、パラメータ交換フェーズは、例えばＷｉ−Ｆｉ  Ｐｒｏｔｅｃｔｅｄ  Ｓｅｔｕｐを用いて行われる（８０４）。ＭＦＰ３００と端末装置２００は、パラメータ交換フェーズにおいて共有された通信パラメータに基づいて無線接続を行う（８０５）。
【００５０】
図９はモードＣ（インフラストラクチャモード）の接続シーケンスを示す図である。モードＣでは、ＭＦＰ３００は、ネットワークを統括する「アクセスポイント」（例えば、ＡＰ４００）と接続し、端末装置２００とアクセスポイントを介して通信する。ＭＦＰ３００は、モードＣが有効設定されると、周囲に存在するアクセスポイントまたは無線ネットワークを検索する。図９に示すように、インフラストラクチャモードでは、各機器は、機器探索リクエスト及び応答信号のやり取りによりアクセスポイントを探索する（９０１〜９０４）。アクセスポイントが探索されると、機器とアクセスポイントとの間で残りの接続の処理（接続の確立等）を経て、その後、ＩＰ接続の処理（ＩＰアドレスの割当等）を行うことになる。
【００５１】
続いて、ＬＡＮ設定情報印刷処理を図１０及び図１１のフローチャートを用いて説明する。図１０及び図１１に示すフローチャートは、ＣＰＵ６０２がＲＯＭ６０３に記憶されたコンピュータプログラムを読み出して実行することにより行われる処理の流れを示す。なお、図１０及び図１１に示すフローチャートに示すステップの一部または全部を例えばＡＳＩＣ等のハードウェアで実現する構成としても良い。ＭＦＰ３００は、図４に示す画面でＬＡＮ設定情報の印刷指示を操作表示部３０５において受け付けると図１０のフローチャートに示す処理を開始する。
【００５２】
Ｓ１０−１では、ＭＦＰ３００は、不揮発性メモリ６０５からＬＡＮ設定情報を取得する。Ｓ１０−２では、ＭＦＰ３００は、対応するモード数を算出する。ＭＦＰ３００は、上述のモードＡ〜モードＤに対応している。Ｓ１０−３では、ＭＦＰ３００は、対応している全てのモードで設定情報の印刷可否及び印刷対象項目を判定したか否かを判定する。
【００５３】
Ｓ１０−４では、ＭＦＰ３００は、対象となるモードが有効設定になっているかを判断する。有効設定とは、ＭＦＰ３００が当該モードを利用可能な状態である。対象となるモードが有効設定になっていないとＳ１０−４において判断された場合、ＭＦＰ３００は、このモードに対応する設定情報は、印刷しないと判断する（Ｓ１０−６）。対象となるモードが有効設定になっていないとＳ１０−４において判断された場合、ＭＦＰ３００は、図１１のフローチャートに示す印刷項目判断処理を実行する（Ｓ１０−５）。印刷項目判断処理の詳細は後述する。
【００５４】
ＭＦＰ３００は、チェックカウンターを増加させ（Ｓ１０−７）、全ての対応モードでＳ１０−４〜Ｓ１０−６の処理を行う。全ての対応モードでＳ１０−４〜Ｓ１０−６の処理を行った場合（Ｓ１０−３でＮＯ）、ＭＦＰ３００は、モード毎に決定された印刷項目を、印刷制御部６１４によりＬＡＮ設定情報印刷データを作成して印刷部６１２によって印刷する。
【００５５】
Ｓ１０−５に示す印刷項目判断処理について図１１のフローチャートを用いて説明する。印刷項目判断処理では、無線接続に必要な「パスワード」について印刷するか否かを判断する。まず、ＭＦＰ３００は、判断対象となっているモードを判定する（Ｓ１１−１、Ｓ１１−４、Ｓ１１−８、Ｓ１１−９）。判断対象モードがモードＢ（Ｗｉ−Ｆｉ  Ｄｉｒｅｃｔモード）だった場合、ＭＦＰ３００は、ＧＯ  Ｎｅｇｏｔｉａｔｉｏｎを実行して役割を決定する「ネゴあり」に設定されているか否かを判定する（Ｓ１１−２）。Ｓ１１−２において、「ネゴあり」に設定されていない場合、即ち、「ネゴなし」に設定されている場合、ＭＦＰ３００は、パスワード項目を印刷すると判断する（Ｓ１１−６）。
【００５６】
Ｓ１１−２において、「ネゴあり」に設定されている場合、ＭＦＰ３００は、ＧＯ  Ｎｅｇｏｔｉａｔｉｏｎによって決定された役割がＣＬであるか否かを判定する（Ｓ１１−７）。ＧＯ  Ｎｅｇｏｔｉａｔｉｏｎによって決定された役割がＣＬでない場合、即ち、ＧＯである場合、ＭＦＰ３００は、パスワード項目を印刷すると判断する（Ｓ１１−６）。ＧＯ  Ｎｅｇｏｔｉａｔｉｏｎによって決定された役割がＣＬである場合、ＭＦＰ３００は、パスワード項目を印刷しないと判断する（Ｓ１１−３）。
【００５７】
判断対象モードがモードＡ（ＡＰモード）である場合、ＭＦＰ３００は、自装置が形成する無線ネットワークのセキュリティ設定の有無を確認する（Ｓ１１−５）。セキュリティ設定がある場合、即ち、形成する無線ネットワークに接続する際にパスワードが必要な場合、ＭＦＰ３００は、パスワード項目を印刷すると判断する（Ｓ１１−６）。セキュリティ設定が無い場合、即ち、形成する無線ネットワークに接続する際にパスワードが必要ない場合、ＭＦＰ３００は、パスワード項目を印刷しないと判断する（Ｓ１１−３）。なお、この場合、セキュリティ設定が無いこと（オープン認証であること）を示す情報を印刷すると判断してもよい。
【００５８】
判断対象モードがモードＣ（インフラモード）である場合、ＭＦＰ３００は、ＭＦＰ３００は、パスワード項目を印刷しないと判断する（Ｓ１１−３）。また、判断対象モードがモードＤ（有線モード）である場合、有線通信において接続に必要なパスワードが存在しないと判定し、処理を終了する。
【００５９】
ここで、Ｓ１１−３においてパスワード項目を印刷しないと判断した場合、ＭＦＰ３００は、このモードのパスワードについてユーザが視認可能または認識可能な状態で印刷しないこととする。例えば、ＭＦＰ３００は、印刷しないと判断したモードのパスワード項目において、アスタリスク等の伏せ字を印刷したり、パスワード項目においてパスワードを表示すべき領域を空欄にしたりした状態のＬＡＮ設定情報印刷の印刷を行う。このようにすることで、印刷しないと判断したモードのパスワードをユーザが視認可能または認識可能な状態で印刷させないよう制御する。
【００６０】
以上のように、ＭＦＰ３００は、自装置が形成する無線ネットワークに接続するためのパスワードは、ＬＡＮ設定情報印刷において印刷させるよう制御する。一方、ＭＦＰ３００と異なる他の装置が形成する無線ネットワークに接続するためのパスワードは、ＬＡＮ設定情報印刷において印刷させないよう制御する。
【００６１】
このように、ＭＦＰ３００は、ＬＡＮ設定情報印刷が指示された際にＡＰモードで動作している場合やＧＯとして動作する場合、パスワードを印刷する。したがって、ユーザは、印刷されたパスワードを見ながら他の端末装置にパスワードを入力することができ、容易にＭＦＰ３００と端末装置とを無線接続させることができる。また、印刷したパスワードは、ＭＦＰ３００が形成する無線ネットワークに接続する際に用いられるため、他の装置が設定したパスワードを許可なく印刷してしまことが無くなる。
【００６２】
一方、ＭＦＰ３００は、他の装置が形成する無線ネットワークに接続するためのパスワードが設定されている状態において、ＬＡＮ設定情報印刷が指示されても、そのパスワードを印刷しない。例えば、ＭＦＰ３００がステーションとしてＡＰ４００が形成する無線ネットワークに接続している場合を考える。この場合において、例えば、ＡＰ４００が会社の基幹ネットワーク等セキュリティの確保が求められるネットワークに更に接続している場合、ＡＰ４００が形成する無線ネットワークに権限のないユーザや装置を接続させないことが望まれる。また、例えば、端末装置２００がＧＯとして形成する無線ネットワークにおいて、ＭＦＰ３００に機密書類を送信する場合、端末装置２００が形成する無線ネットワークに権限のないユーザや装置を接続させないことが望まれる。これらの状態において、ＭＦＰ３００がＬＡＮ設定情報印刷により、ＡＰ４００が形成する無線ネットワークに接続するためのパスワードを印刷してしまうと、権限のないユーザや装置に無線接続に必要なパスワードが知られてしまう可能性がある。本実施形態のＭＦＰ３００は、他の装置が形成する無線ネットワークに接続するためのパスワードが設定されている状態において、ＬＡＮ設定情報印刷が指示されても、そのパスワードを印刷しない。したがって、権限のないユーザや装置に無線接続に必要なパスワードが知られてしまうことが低減される。
【００６３】
また、ＭＦＰ３００は、Ｗｉ−Ｆｉ  Ｄｉｒｅｃｔのように、無線ネットワークを形成するＧＯとして動作するか、通信相手装置により形成された無線ネットワークに接続するＣＬとして動作するかを決定するネゴシエーションを含む接続処理を実行する。このようなＷｉ−Ｆｉ  Ｄｉｒｅｃｔを実行する場合において、ＬＡＮ設定情報印刷を指示された際に、ＭＦＰ３００は、無線ネットワークを形成するＧＯとして動作している場合、形成された無線ネットワークに接続するためのパスワードを印刷する。
【００６４】
一方、Ｗｉ−Ｆｉ  Ｄｉｒｅｃｔを実行する場合において、ＬＡＮ設定情報印刷を指示された際に、ＭＦＰ３００は、無線ネットワークに接続するＣＬとして動作している場合、接続した無線ネットワークに接続するためのパスワードを印刷させない。このようにＭＦＰ３００は、Ｗｉ−Ｆｉ  Ｄｉｒｅｃｔにおいて接続行う場合にも、ユーザの利便性の向上とセキュリティ上のリスクの低減とを両立させる通信に関する設定情報の印刷を適応的に行うことができる。
【００６５】
なお、Ｓ１１−２で「ネゴあり」に設定されていると判定された場合、Ｓ１１−７の処理を行うことなく、Ｓ１１−３に処理を進める構成としてもよい。「ネゴあり」の場合、機器同士で自動的にパスワードのやりとりも行われるため、接続する際に、ユーザがパスワードを入力する必要がないためである。また、「ネゴあり」の場合は、他の装置が設定したパスワードを用いて接続を行うＣＬになる可能性があるため、「ネゴあり」の選択がされた時点でパスワードを印刷しないとすることで処理を簡略化することが可能になる。
【００６６】
以上の処理によりＬＡＮ設定情報印刷においてパスワードの印刷可否が決定される。ＬＡＮ設定情報印刷結果の一例を図１２に示す。図１２において、１２−１〜１２−４のように各モードが有効設定（Ｅｎａｂｌｅ）か無効設定（Ｄｉｓａｂｌｅ）かが示される。有効設定の場合には当該モードが利用可能な状態であり、関連する各項目の設定値を印刷し、無効設定の場合には当該モードは利用しない状態であり、その他の設定情報は印刷されない。なお、ＭＦＰ３００は、モードを有効設定されると、そのモードで通信するための処理を開始する。また、ＭＦＰ３００は、モードを有効設定されると、そのモードで通信を行わない。
【００６７】
各モードの有効または無効の設定は、ユーザ操作によって決定されてもよい。また、ＭＦＰ３００は、有線通信（モードＤ）を行っている場合、無線通信のモード（モードＡ〜Ｃ）を無効に設定してもよい。また、ＭＦＰ３００は、無線通信のモード（モードＡ〜Ｃ）の少なくとも何れかかが有効に設定されている場合、有線通信（モードＤ）を無効に設定してもよい。
【００６８】
ＭＦＰ３００は、例えば、１２−１に示すようにインフラストラクチャモード（モードＣ）が有効設定されている場合、当該モードを識別可能な情報と、当該モードにおいて接続中の無線ネットワークのＳＳＩＤを識別可能な情報とを印刷する。また、ＭＦＰ３００は、モードＣが有効設定されているが、無線ネットワークに接続していない状態において、ＬＡＮ設定情報を印刷する場合、ＳＳＩＤの項目を空欄にするようにしてもよい。ＭＦＰ３００は、他のモードにおいても、モードを識別可能な情報とともに該モードで接続中または形成中の無線ネットワークのＳＳＩＤを識別可能な情報を印刷してよい。
【００６９】
また、ＭＦＰ３００は、複数の通信モードで並行して動作可能である。例えば、図１２の１２−１及び１２−２が共に有効設定を示すように、ＭＦＰ３００は、モードＢとモードＣとを並行して利用可能な状態となることができる。例えば、ＭＦＰ３００は、インフラストラクチャモードのステーションかつＷｉ−Ｆｉ  Ｄｉｒｅｃｔのグループオーナーとして並行に動作してもよい。この場合、ＷＬＡＮユニット６１６は、インフラストラクチャモードのステーションとしての通信及びグループオーナーとしての通信を共通の周波数チャンネルで行うようにしてもよい。ＭＦＰ３００は、複数の通信モードで並行して動作している場合に、夫々のモードにおけるＬＡＮ設定情報を印刷してもよい。例示として、ＭＦＰ３００が、インフラストラクチャモードのステーションかつグループオーナーとして動作している場合にＬＡＮ設定情報の印刷を指示された場合を説明する。この場合、ＭＦＰ３００は、インフラストラクチャモードで使用するパスワードについてはユーザに認識可能に印刷せず、グループオーナーとして形成している無線ネットワークに接続するためのパスワードについては印刷する。このように構成することで、複数のモードのＬＡＮ設定情報を一度の指示で印刷することができる。なお、ＭＦＰ３００は、モード毎に異なる用紙にＬＡＮ設定情報を印刷してもよい。また、ＭＦＰ３００は、一枚の用紙に複数のモードのＬＡＮ設定情報を印刷してもよい。
【００７０】
また、Ｓ１１−３でパスワードを印刷しないと決定されたモードのパスワード表示領域にアスタリスク等の伏せ字を用いて非表示を示す情報を印刷してもよい。図１２の１２−６に記号で隠蔽されたパスワードを示す。または、Ｓ１１−３でパスワードを印刷しないと決定されたモードのパスワード表示領域の内容を空欄にしてもよい。または、Ｓ１１−３でパスワードを印刷しないと決定されたモードの１２−５及び１２−６ともに印刷をしないようにしてもよい。また、Ｓ１１−３でパスワードを印刷しないと決定されたモードのパスワードを、一部だけを伏せ字にしたり、暗号化した状態で印刷したり、ＱＲコード（登録商標）等のようにコード化したりして視認可能ではない状態で印刷してもよい。
【００７１】
なお、ＬＡＮ設定情報印刷において、パスワード以外の設定情報として、ＳＳＩＤ、暗号方式、周波数チャンネル、認証方式、ＩＰアドレスまたはＭＡＣアドレスの情報を印刷してもよい。また、Ｓ１１−４でパスワードを印刷すると決定されたモードのパスワードであっても、ユーザから印刷許可が設定されなければ、そのパスワードを視認可能に印刷しないようにしてもよい。また、Ｓ１１−３でパスワードを印刷しないと決定されたモードのパスワードであっても、ユーザから印刷許可が設定されれば、そのパスワードは印刷されてもよい。
【００７２】
以上説明したように、本実施形態によれば、通信に関する設定情報を印刷する際に、ユーザの利便性の向上とセキュリティ上のリスクの低減とを両立させ、適応的に通信に関する設定情報を印刷させることができる。
【００７３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７４】
また、上述の説明において、印刷機能を有するＭＦＰ３００がＬＡＮ設定情報を印刷するものとしたが、ＭＦＰ３００は印刷機能を有さず、他の印刷装置にＬＡＮ設定情報を印刷させるようにしてもよい。この場合、ＭＦＰ３００が印刷指示を他の印刷装置に送信する。他の印刷装置は、ＭＦＰ３００からの印刷指示に従ってＭＦＰ３００のＬＡＮ設定情報を印刷する。また、印刷に代えてディスプレイへの可視表示のための出力の可否を同様に行うようにしてもよい。
【符号の説明】
【００７５】
２００  端末装置
３００  ＭＦＰ
４００  アクセスポイント
【図１】
0006752622.tif 000002
【図２】
0006752622.tif 000003
【図３】
0006752622.tif 000004
【図４】
0006752622.tif 000005
【図５】
0006752622.tif 000006
【図６】
0006752622.tif 000007
【図７】
0006752622.tif 000008
【図８】
0006752622.tif 000009
【図９】
0006752622.tif 000010
【図１０】
0006752622.tif 000011
【図１１】
0006752622.tif 000012
【図１２】
0006752622.tif 000013